(57)【特許請求の範囲】
【請求項１】
マスカラ化粧料を塗布する塗布部が、塗布部軸と該塗布部軸に沿って配列された複数の櫛歯からなる櫛歯列とを有し、
塗布部軸を横からみたときに、塗布部の長手方向前方域及び後方域それぞれに位置する櫛歯が、長手方向中央域に向けて傾斜しているとともに、中央域から前方域及び後方域それぞれに向かうにつれ、櫛歯の傾斜の程度が徐々に大きくなっているマスカラ塗布具であって、
櫛歯が、塗布部軸側に位置する下方部と、下方部に連接しかつ塗布具軸から遠い側に位置する上方部とからなり、下方部の傾斜の程度が、上方部の傾斜の程度よりも大きくなっているマスカラ塗布具。
【請求項２】
塗布部軸が、略直線であるか又は前記櫛歯の突出する方向に向けて凸状に湾曲している請求項１記載のマスカラ塗布具。
【請求項３】
塗布部のうち、櫛歯の傾斜の程度が大きい部位に位置する櫛歯ほど、隣り合う櫛歯の根元間の距離が大きくなっている請求項１又は２記載のマスカラ塗布具。
【請求項４】
マスカラ化粧料を塗布する塗布部が、塗布部軸と該塗布部軸に沿って配列された複数の櫛歯からなる櫛歯列とを有し、
塗布部軸を横からみたときに、塗布部の長手方向前方域及び後方域それぞれに位置する櫛歯が、長手方向中央域に向けて傾斜しているとともに、中央域から前方域及び後方域それぞれに向かうにつれ、櫛歯の傾斜の程度が徐々に大きくなっているマスカラ塗布具であって、
櫛歯列が、第１の櫛歯列及び第２の櫛歯列を有し、
塗布部軸の軸線からみたとき、第１の櫛歯列の櫛歯と第２の櫛歯列の櫛歯とが略Ｖ字をなすように、各櫛歯が配列されているマスカラ塗布具。
【請求項５】
塗布部軸が、略直線であるか又は前記櫛歯の突出する方向に向けて凸状に湾曲している請求項４記載のマスカラ塗布具。
【請求項６】
塗布部のうち、櫛歯の傾斜の程度が大きい部位に位置する櫛歯ほど、隣り合う櫛歯の根元間の距離が大きくなっている請求項４又は５記載のマスカラ塗布具。
【請求項７】
櫛歯が、塗布部軸側に位置する下方部と、下方部に連接しかつ塗布具軸から遠い側に位置する上方部とからなり、下方部の傾斜の程度が、上方部の傾斜の程度よりも大きくなっている請求項４ないし６のいずれか一項に記載のマスカラ塗布具。
【請求項８】
塗布部の先端部において、扇状に配置された複数の先端櫛歯によって、第１の櫛歯列と第２の櫛歯列とが滑らかに連結されている請求項４ないし７のいずれか一項に記載のマスカラ塗布具。
【請求項９】
第１の櫛歯列と第２の櫛歯列との間に第３の櫛歯列を有し、第３の櫛歯列における櫛歯の傾斜の程度が、塗布部軸の延びる方向と直交する方向で隣接する第１の櫛歯列の櫛歯の傾斜の程度及び第２の櫛歯列の櫛歯の傾斜の程度と異なっている請求項４ないし８のいずれか一項に記載のマスカラ塗布具。
【発明の詳細な説明】
【技術分野】
【０００１】
本発明は、まつ毛にマスカラ化粧料を塗布するための塗布具に関する。
【背景技術】
【０００２】
マスカラ化粧料に求められる効果としては、まつ毛をより太く濃く見せるボリュームアップ効果、より長く見せるロング効果、まつ毛をカールさせて目を大きくはっきりと見せるカールアップ効果、マスカラ化粧料がダマになってまつ毛付着したりしないようにするセパレート効果などがある。これらの効果は、マスカラ化粧料と塗布具との相乗効果によって発現するものである。
【０００３】
また、前記効果に加えて、まつ毛をまつ毛の根元から広がるように放射状に梳いてクセ付けることによって、目周りにより美しく魅力的で洗練された外観を与えることができる。しかしながら、簡単にまつ毛を放射状に梳くことのできる塗布具はこれまでにはなく、放射状の美しい仕上がりは個人の技量によるところが大きかった。すなわち、従来の塗布具ではまつ毛を平行に梳くことしかできず、使用者がまつ毛を放射状に梳くためには、梳く箇所を部分毎に分けて、それぞれ異なる方向に梳かなければならず、面倒であった。また、梳いたそれぞれの部分毎ではまつ毛同士は平行なので、まつ毛全体として見たときに等間隔のきれいな放射状にならなかったり、又はきれいな放射状にするためにはまつ毛を梳く部分を更に細分化して梳いたりしなければならず、多大な時間を必要としていた。
【０００４】
また、まぶたは眼球の曲面に沿って円弧状になっており、一方、１本１本のまつ毛はまぶたの縁にほぼ垂直に生えているので、まつ毛全体では、そのままでも自然と略放射状になっているが、櫛歯が平行に延びる従来の塗布具（図１３（ｂ））ではまつ毛を平行にしか梳けないので放射状の角度を減少させてしまい、仕上がりの魅力を減退させてしまう不具合があった。
【０００５】
更にまた、樹脂成型によって多数の突起を形成され、放射状に延びる櫛歯を有するマスカラ塗布具も存在するが、これでまつ毛を梳くと、まつ毛が櫛歯の先から櫛歯の根元へと移動するにつれて、逆にまつ毛先端同士が集まる方向に梳かれる（まつ毛が放射状に広がるのではなくて、閉じてしまう）ので、仕上がりの魅力をより減退させてしまう不具合があった（図１３（ｃ）参照）。
【０００６】
マスカラ塗布具として、樹脂成形によって多数の突起を形成してなるものが知られている（例えば特許文献１参照）。同文献に記載の塗布具は、支持体及び該支持体と一体に作られた多数の歯の列を有している。支持体は直線状であるか、又は湾曲した形状になっている。そして支持体がいずれの形状の場合であっても、歯は支持体の法線方向に延びている。このような塗布具を用いれば、まつ毛を梳くことはできるが、まつ毛を放射状に広げるように梳くことはできない。
【０００７】
前記の特許文献１には、歯が支持体の法線方向に対して傾斜している実施形態の塗布具も開示されている（同文献の図７）。しかし歯の傾斜方向が、歯の列に含まれるすべての歯において同方向なので、やはりまつ毛を広げるように梳くことはできない。
【先行技術文献】
【特許文献】
【０００８】
【特許文献１】特開２００６−５１３５０号公報
【発明の概要】
【発明が解決しようとする課題】
【０００９】
本発明の課題は、前述した従来技術が有する欠点を解消し得るマスカラ塗布具を提供することにある。
【課題を解決するための手段】
【００１０】
本発明は、マスカラ化粧料を塗布する塗布部が、塗布部軸と該塗布部軸に沿って配列された複数の櫛歯からなる櫛歯列とを有し、
塗布部軸を横からみたときに、塗布部の長手方向前方域及び後方域それぞれに位置する櫛歯が、長手方向中央域に向けて傾斜しているとともに、中央域から前方域及び後方域それぞれに向かうにつれ、櫛歯の傾斜の程度が徐々に大きくなっているマスカラ塗布具を提供するものである。
【発明の効果】
【００１１】
本発明によれば、まつ毛を普通に梳くだけで、まつ毛が放射状に広がった状態になり、その状態下にマスカラ化粧料が塗布されるので、ボリューム感のあるきれいな仕上がりとなる（例えば図１３（ａ）参照）。
【図面の簡単な説明】
【００１２】
【図１】図１は、本発明のマスカラ塗布具の一実施形態を示す斜視図である。
【図２】図２（ａ）は、図１に示すマスカラ塗布具を横から見た図であり、図２（ｂ）は、図１に示すマスカラ塗布具を、塗布部軸の軸線から見た図である。
【図３】図３は、図１に示すマスカラ塗布具でまつ毛を梳いたときの、まつ毛の位置を示す模式図である。
【図４】図４（ａ）は、図１に示すマスカラ塗布具でまつ毛を梳き始めたときのまつ毛の広がりを示す模式図であり、図４（ｂ）はまつ毛の梳きが終了したときのまつ毛の広がりを示す模式図である。
【図５】図５は、図１に示すマスカラ塗布具でまつ毛を梳いたときのまつ毛の移動の経路を示す模式図である。
【図６】図６は、本発明のマスカラ塗布具の別の実施形態における塗布部の要部を拡大して示す模式図である。
【図７】図７は、図１に示すマスカラ塗布具における塗布部のうち、前方域及び中央域の要部を拡大して示す模式図である。
【図８】図８（ａ）及び（ｂ）は、本発明のマスカラ塗布具の別の実施形態における塗布部の要部を拡大して示す模式図である。
【図９】図９は、本発明のマスカラ塗布具の別の実施形態における塗布部を示す斜視図である。
【図１０】図１０（ａ）は、図９に示すマスカラ塗布具を横から見た図であり、図１０（ｂ）は、図９に示すマスカラ塗布具を、塗布部軸の軸線から見た図である。
【図１１】図１１は、本発明のマスカラ塗布具の更に別の実施形態における塗布部を示す斜視図である。
【図１２】図１２（ａ）ないし（ｄ）は、図９に示す実施形態のマスカラ塗布具を用いてまつ毛を梳くときの様子を示す模式図である。
【図１３】図１３（ａ）は本発明のマスカラ塗布具を使用したときの典型的なまつ毛の方向を示した図であり、図１３(ｂ)は従来のマスカラ塗布具のうち、櫛歯が平行に延びるものを使用したときの典型的なまつ毛の方向を示した図であり、図１３（ｃ）は従来のマスカラ塗布具のうち、櫛歯が放射状に延びるものを使用したときの典型的なまつ毛の方向を示した図である。
【発明を実施するための形態】
【００１３】
以下本発明を、その好ましい実施形態に基づき図面を参照しながら説明する。図１及び図２に示す実施形態のマスカラ塗布具１０は、支持軸１１の先端に、マスカラ化粧料を塗布する塗布部１２を有している。図１及び図２においては、支持軸１１は、塗布部１２との連結部付近しか示されていないが、支持軸１１はその全体が直線の棒状体から構成されている。支持軸１１と塗布部１２とは、樹脂の一体成形によって形成されているか、あるいは別々に製造された支持軸１１と塗布部１２とが、接着剤による接着、嵌合、螺合等の手段によって連結されている。
【００１４】
塗布部１２は、一方向に延びる塗布部軸２０と、該塗布部軸２０に沿って配列された複数の櫛歯２１からなる櫛歯列とを有している。塗布部軸２０は、その長手方向を、支持軸１１の長手方向と一致させて、支持軸１１の先端に連結している。塗布部１２は、塗布部軸２０を横からみたときに（つまり、図２（ａ）に示す方向からみたときに）、塗布部軸２０の長手方向中央域１２Ｃと、該中央域１２Ｃよりも先端側に位置する前方域１２Ｆと、該中央域１２Ｃよりも後端側（支持軸１１との連結部側）に位置する後方域１２Ｒとに大別される。
【００１５】
塗布部１２に配置された櫛歯列は一列である。各櫛歯２１は、塗布部軸２０の上方に向けて突出している主櫛歯部２１ａと、塗布部軸２０の下方及び側方に向けて突出している副櫛歯部２１ｂとから構成されている。各櫛歯２１においては、主櫛歯部２１ａと副櫛歯部２１ｂとは一体的に形成されている。主櫛歯部２１ａと、副櫛歯部２１ｂとの突出の程度を比較すると、主櫛歯部２１ａの方が突出の程度が大きくなっている。主櫛歯部２１ａは、塗布部軸２０の軸線からみて略三角形の板状をしている。
【００１６】
各櫛歯２１は、その板面が塗布部軸２０の長手方向と略直交するように配置されている。また各櫛歯２１は、その板面が互いに略平行になるように配置されている。各櫛歯２１の大きさは同じでもよく、あるいは塗布部１２のうちの各部位（中央域１２Ｃ、前方域１２Ｆ、後方域１２Ｒ）に応じて大きさが異なっていてもよい。また場合によっては、塗布部１２のうちの各部位に応じて櫛歯２１の形状が異なっていてもよい。
【００１７】
図２（ａ）に示すように、塗布部１２における塗布部軸２０は、櫛歯２１の突出する方向に向けて（図２（ａ）中、上方に向けて）、凸状に緩やかに湾曲している。塗布部軸２０の湾曲の頂部は、上述した中央域１２Ｃの位置とほぼ一致している。そして、各櫛歯２１は、湾曲した塗布部軸２０における上側の面（凸側の面。以下、この面を「基面２０Ａ」という。）から上方へ向けて突出している。塗布部軸２０がこのように湾曲していることで、マスカラ塗布具１０を用い、これを下方から上方へ向けて移動させてまつ毛を梳いたときに、塗布部１２がまぶたに沿う状態となるので好ましい。また、マスカラ化粧料を塗布したあと、塗布具１０を１８０度反転させて、塗布部軸２０のうち、凹状に湾曲している側をまつ毛に押し当てて、マスカラ化粧料が乾燥するまでの間、副櫛歯部２１ｂでまつ毛を押さえることで、まつ毛のカールアップ効果が期待できる。特に副櫛歯部２１ｂは、突出高さが低いので、まつ毛の押さえつけ効果が高く、かつまつ毛を押さえつけているときに副櫛歯部２１ｂの先端（図２（ａ）中、各副櫛歯部２１ｂの下側）がまぶたなどに触れないために、まぶたなどをマスカラ化粧料で汚すことがない。
【００１８】
本実施形態のマスカラ塗布具１０は、櫛歯２１の傾斜状態に特徴の一つを有する。詳細には次のとおりである。塗布部１２の中央域１２Ｃに位置する２本の櫛歯２１Ｃは、塗布部軸２０を横からみたときに、該塗布部軸２０の基面２０Ａに対して略法線方向に延びている。すなわち、櫛歯２１Ｃと基面２０Ａとは略直交している。これに対して、塗布部１２の前方域１２Ｆに位置する櫛歯２１Ｆは、中央域１２Ｃに向けて傾斜している。一方、塗布部１２の後方域１２Ｒに位置する櫛歯２１Ｒも、中央域１２Ｃに向けて傾斜している。ここでいう傾斜とは、板状体からなる櫛歯２１の板面が、塗布部軸２０の基面２０Ａの法線に対して角度をなしていることをいう。したがって、傾斜の程度が大きいとは、櫛歯２１の板面と基面２０Ａの法線とのなす角度（以後「傾斜角」ともいう）が大きいことをいう。
【００１９】
櫛歯２１（２１Ｃ，２１Ｆ，２１Ｒ）は、塗布部１２の中央域１２Ｃから前方域１２Ｆ及び後方域１２Ｒそれぞれに向かうにつれ、傾斜の角度が徐々に大きくなっている。つまり櫛歯２１は、その配置位置が中央域１２Ｃから先端側及び後端側に向けて離れるにつれて、該櫛歯２１の板面が塗布部軸２０の基面２０Ａに近づいていく。櫛歯２１がこのように傾斜しているマスカラ塗布具１０を用いてまつ毛を梳くことで、まつ毛を放射状にきれいに広げることができる。このことを、図３及び図４を参照しながら説明する。
【００２０】
図３に示すように、塗布部１２の櫛歯２１内に入り込んだ初期時点でのまつ毛ＥＬ１は、まつ毛がもともとあった場所の近傍の隣り合う櫛歯２１の先端の間に振り分けられる。この状態でのまつ毛ＥＬ１の広がりは、図４（ａ）に示すとおりである。この状態からマスカラ塗布具１０を上方に移動させることで、櫛歯２１の奥（櫛歯２１の根元）に入り込んだまつ毛ＥＬ２は、傾斜している櫛歯２１に沿って、塗布部軸２０の先端方向及び後端方向に移動していく。その結果、初期時点に比較して、まつ毛の間隔が大きくなり、放射状に広げられる。この状態でのまつ毛ＥＬ２の広がりは、図４（ｂ）に示すとおりである。塗布部１２にはマスカラ化粧料が保持されているから、以上の操作を行うことで、放射状に広がった状態のまつ毛にマスカラ化粧料が塗布されることになる。その結果、ボリューム感のあるきれいな仕上がりのまつ毛となる。まつ毛ＥＬ１及びＥＬ２は、１本１本のまつ毛、又は数本のまつ毛が束になった毛束を表している。
【００２１】
先に述べたとおり塗布部１２の塗布部軸２０は、上方へ向けて凸の湾曲形状になっている。したがって、例えば図５に示すように、塗布部軸２０を横からみたときに、塗布部１２の前方域１２Ｆにおいては、塗布部軸２０の基面２０Ａは、櫛歯２１Ｆの傾斜する方向（図５中、矢印Ａで示す方向）と反対方向（図５中、矢印Ｂで示す方向）に傾斜している。櫛歯２１Ｆと基面２０Ａとがこのような位置関係になっていることで、マスカラ塗布具１０を用い、これを図５中、矢印Ｃで示す方向に向けて（下方から上方に向けて）移動させ、まつ毛を梳くと、まつ毛は、図５中、櫛歯２１Ｆの板面及び基面２０Ａに沿って移動する。つまり、同図中、ＥＬ１→ＥＬ２→ＥＬ３という順序で移動する。その結果、まつ毛の梳き始めから梳き終わりの間におけるまつ毛の水平移動量が大きくなり、まつ毛が放射状に広がる効果が一層向上する。この効果は、塗布部１２の後方域１２Ｒにおいても同様に奏される。後方域１２Ｒにおいても、基面２０Ａは、櫛歯２１Ｒの傾斜する方向と反対方向に傾斜しているからである。なお、塗布部１２の中央域１２Ｃにおいては、基面２０Ａと櫛歯２１Ｃとは略直交しているので、まつ毛の梳き始めと梳き終わりとで、まつ毛の広がりの程度に大きな差は生じない。したがって、まつ毛の梳き始めから梳き終わりの間におけるまつ毛の水平移動量は、塗布部１２の先端及び後端に近づくほど大きくなる。
【００２２】
中央域１２Ｃにおいては、櫛歯２１Ｃの傾斜角はほぼ０°である。前方域１２Ｆにおいては、櫛歯２１Ｆの傾斜角は、図２に示すように、塗布部軸２０の先端側に向うにつれて徐々に増していく。一方、後方域１２Ｒにおける櫛歯２１の傾斜角は、図２に示すように、塗布部軸２０後端側に向うにつれて徐々に増していく。塗布部軸２０の先端及び塗布部軸２０の後端の櫛歯２１の傾斜角は７５°以下であることが好ましく、４５°以下であることが更に好ましい。塗布部軸２０の先端及び塗布部軸２０の後端の櫛歯２１の傾斜角をこの範囲にすることで、まつ毛と櫛歯との摩擦力による作業性の低下を少なくでき、またまつ毛を最も美しく放射状に広げることができる。塗布部軸２０の先端及び後端の櫛歯の傾斜角は、まつ毛を広げる効果の観点から、好ましくは１５°以上であり、より好ましくは３０°以上である。
【００２３】
前方領域Ｆ及び後方領域Ｒにおいては、櫛歯の傾斜角の増分は必ずしも均等である必要はない。例えば、あえて塗布部軸２０の先端側あるいは根元側の数本の櫛歯の傾斜角を大きくして放射状の広がり感を強調するなど、マスカラメイクの表現意図によって角度を設定することができる。更に例えば、塗布部軸２０の先端側あるいは後端側にいくにつれて、基本的には徐々に角度を増すが、部分的に角度の増分を減少させるか、又は部分的に角度の増分を増加させてもよく、そうすることで放射状に広がったまつ毛に粗密を与えることができ、また違ったまつ毛の表現が可能になる。
【００２４】
図５に示す実施形態は、塗布部軸２０が湾曲しており、基面２０Ａが連続面であることを前提としたものであるが、塗布部軸２０が直線状である場合にも、基面２０Ａを、櫛歯２１の傾斜する方向と反対方向に傾斜させることができる。例えば、塗布部軸２０を直線状となすとともに、図６に示すように、塗布部軸２０を横からみたときの縦断面視における基面２０Ａが、鋸歯状となるように、該基面２０Ａを形成し、水平線（図示せず）に対して基面２０Ａの傾斜方向と反対方向に櫛歯２１を傾斜させることで、上述した効果と同様の効果を発現させることができる。なお、前記の水平線とは、塗布部軸２０が直線状であれば塗布部軸２０の軸線と一致する線又は該軸線と平行な線をいい、塗布部軸２０が湾曲していれば、塗布部軸２０の先端の断面の中心点と後端の断面の中心点とを結んだ直線と一致する線又は該直線と平行な線をいう（以下の説明においても同じ。）。
基面２０Ａと水平線との角度は特に制限はなく、仕上がりの放射状の形状やマスカラ塗布具１０のデザインなどを考慮して決定すればよいが、櫛歯２１と水平線のなす角度以下であることを条件としては０°〜９０°の範囲内で設定することができ、好ましくは０°〜８０°、更に好ましくは０°〜７０°とすることができる。基面２０Ａと水平線との角度は、まつ毛をより広く広げる観点からは小さい方が好ましく、まつ毛をより容易に広げる観点からは大きい方が好ましい。
【００２５】
塗布部１２においては、櫛歯２１の傾斜の程度が大きい部位に位置する櫛歯２１ほど、隣り合う櫛歯２１の根元間の距離及び先端間の距離が大きくなっている。例えば、図７に示すように、塗布部１２の前方域１２Ｆは、中央域１２Ｃよりも櫛歯２１の傾斜の程度が大きいところ、前方域１２Ｆに位置する櫛歯２１Ｆにおける根元間の距離Ｄａ１と、中央域１２Ｃに位置する櫛歯２１Ｃにおける根元間の距離Ｄａ２とを対比すると、Ｄａ１の方がＤａ２よりも大きくなっている。櫛歯の先端に関しては、根元部における距離の差よりも小さくなっており、前方域１２Ｆに位置する櫛歯２１Ｆにおける先端間の距離Ｄｂ１と、中央域１２Ｃに位置する櫛歯２１Ｃにおける先端間の距離Ｄｂ２とを対比すると、ほとんど同じになっている。このような関係になっていることで、まつ毛を梳くときに、隣り合う櫛歯２１の間に均等にまつ毛が入りやすくなり、まつ毛の梳きを効率的に行うことができる。Ｄｂ２の具体的な値は０．３ｍｍ以上５ｍｍ以下が好ましく、０．８ｍｍ以上３ｍｍ以下がより好ましい。また、Ｄｂ１とＤｂ２との比Ｄｂ１／Ｄｂ２は、０．５以上５以下が好ましく、０．８以上２以下がより好ましい。以上の距離関係及びそれに起因して奏される効果は、中央域１２Ｃと後方域１２Ｒについても同様に適用される。
【００２６】
以上の実施形態においては、櫛歯２１の傾斜の程度は、櫛歯２１の根元から先端までで一定であったが、これに代えて一つの櫛歯２１内において、傾斜の程度を異ならせてもよい。例えば図８（ａ）に示すように、櫛歯２１を、塗布部軸２０側に位置する下方部２１１と、下方部２１１に連接しかつ塗布具軸２０から遠い側に位置する上方部２１２とから構成することができる。下方部２１１及び上方部２１２はいずれも同じ方向に傾斜している。この場合には、下方部２１１の傾斜の程度を、上方部２１２の傾斜の程度よりも大きくすることが有利である。こうすることによって、隣り合う櫛歯２１において櫛歯の根元間の距離を大きく確保しつつ、櫛歯２１の先端から根元へ向けてまつ毛を通過させやすくできる。櫛歯の根元間の距離を大きく確保できることは、まつ毛を梳いたときの水平移動量を大きくできるという利点につながる。このような実施形態の櫛歯２１は、塗布部１２における中央域１２Ｃ、前方域１２Ｆ及び後方域１２Ｒのすべての部位に配置されていてもよく、これらの部位のうちの任意の２箇所の部位に配置されていてもよく、あるいはこれらの部位のうちのいずれか１箇所の部位に配置されていてもよい。下方部２１１の傾斜角は、上方部２１２の傾斜角よりも大きいことを条件とし、好ましくは０°〜８０°、更に好ましくは０°〜７０°とすることができ、仕上がりの放射状の形状やマスカラ塗布具１０のデザインなどを考慮して決定すればよい。
【００２７】
図５に示す実施形態の変形例として、図８（ｂ）に示す実施形態がある。図８（ｂ）に示す実施形態においては、下方部２１１は基面２０Ａ及び水平線Ｈに対して傾斜しているが、上方部２１２は水平線Ｈに対して傾斜していない。つまり、上方部２１２は水平線Ｈに対して直交している。本実施形態によれば、マスカラ塗布具を上下に移動する方向と、上方部２１２の延びる方向とが一致しているので、隣り合う櫛歯２１間にまつ毛が一層入りやすくなり、まつ毛が更に移動して斜面に接触して摩擦力を受けても容易に櫛歯間から外れたり、隣の櫛歯へと飛び越えたりすることがなくなり、きれいな放射状のまつ毛に梳くことができる。まつ毛が受ける摩擦力は櫛歯の傾斜角が大きいほど大きくなることから、この実施形態の櫛歯２１は、少なくとも前方域１２Ｆ、又は後方部１２Ｒに配置されていることが、塗布部１２の場所によりまつ毛の入り易さの偏りが少なくなる点で好ましい。この実施形態の櫛歯２１は、塗布部１２全体に配置しても良い。
【００２８】
また、前記の各実施形態において櫛歯２１の高さは、塗布部１２の全域にわたって同じであってもよく、また部分的に異なっていてもよい。例えば、前方域１５Ｆ及び／又は後方域１５Ｒに位置する櫛歯２１の高さをその端に向かうにつれて徐々に低くしてもよい。また、中央域１５Ｃに位置する櫛歯２１の高さを他の櫛歯２１よりも低くすることによって、中央域１５Ｃに窪みを設けることもできる。更に、適当な幅で、櫛歯２１の高さを不ぞろいにすることもできる。
【００２９】
塗布部、櫛歯の寸法は目的とする効果のレベルやマスカラ剤の性質によって変わるが、まつ毛全体を放射状に広げる効果の観点から、下記の範囲が好ましい。  塗布部１２の全長は１５〜４０ｍｍであることが好ましく、２０〜３５ｍｍであることがより好ましい。主櫛歯２１ａの長さは、まつ毛を２〜２０ｍｍが好ましく、３〜１２ｍｍがより好ましい。ここで、櫛歯の長さとは、基面２０Ａから、櫛歯の先端までの長さを、櫛歯に沿って測ったときの長さである。櫛歯２１の厚みは０．１〜２ｍｍが好ましく、０．２〜１ｍｍがより好ましい。櫛歯２１の数は５〜４０本が好ましく８〜３０本がより好ましい。
【００３０】
マスカラ塗布部１０は、熱可塑性樹脂の成形によって製造することができる。また、櫛歯２１に関しては、成形によって大まかな形状（例えばディスク状）を形成しておき、その後に切削加工等の後加工によって、所望の形状に形成してもよい。用いることのできる樹脂は、当該技術分野においてこれまで用いられてきた樹脂と同様のものである。
【００３１】
図９及び図１０には、本発明のマスカラ塗布具の別の実施形態が示されている。本実施形態については、先の実施形態と異なる点について主として説明し、特に説明しない点については、先の実施形態に関する説明が適宜適用される。
【００３２】
本実施形態の塗布具１０は、塗布部１２の前方域１２Ｆの更に前方に、最前方域１２ＦＦを有している。最前方域１２ＦＦ位置する櫛歯２１ＦＦは、塗布部１２の先端側に位置するものほどその高さが徐々に低くなっている。このようにすることで、最前方域１２ＦＦを利用した『部分使い』が行いやすくなり、マスカラ化粧料の細かな塗布や塗布の仕上げを容易に行うことができる。すなわち、塗布部１２の前方域１２Ｆ、中央域１２Ｃ及び後方域１２Ｒを使ってまつ毛の全体形状を放射状に整えた後、最前方域１２ＦＦ部分を使って、まつ毛の角度の微調整や、過度に束になったまつ毛のセパレートができる。
【００３３】
このことに関連して、最前方域１２ＦＦに位置する櫛歯２１ＦＦは、中央域１２Ｃ向きではなく、水平線に対して垂直か、先端向きに傾斜していることが好ましい。このようにすることで、最前方域１２ＦＦを利用した部分使いがより行いやすくなる。すなわち、櫛歯２１ＦＦは軸先端側に傾いていて、しかも先端に向うにつれて高さが低くなることで、最前方域１２ＦＦの櫛歯２１ＦＦを、まつ毛列に当てようとすると、自然に軸を傾けることになり、最前方域１２ＦＦよりも後端側の櫛歯列が下に下がる。結果、まつ毛を微調整する際、前方域１２Ｆ、中央域１２Ｃ及び後方域Ｒの櫛歯２１が他のまつ毛に触れないので、微調整を所望するまつ毛以外のまつ毛を乱すことがない。
【００３４】
マスカラ化粧料の細かな塗布を行うことに関連し、図９、１０に示すように、塗布部１２の先端には、塗布部１２の長手方向に延びる錐体突起２２が複数形成されていてもよい。錐体突起２２の延びる方向と水平線（支持軸１１の軸線）とのなす角度は０度であるか、あるいは３０度以内の比較的小さい角度である。錐体突起２２は、細かい部分、例えば目頭付近及び目尻付近のまつ毛の部分やまつ毛の本数の少ない部分、例えば下まつ毛の部分にマスカラ化粧料を塗布するのに適している。
【００３５】
図１０（ａ）に示すように、塗布部１２における前方域１２Ｆと最前方域１２ＦＦとの境界付近には、主櫛歯部２１のみを有する櫛歯２１’が配置させることができる。この櫛歯２１’は、他の櫛歯２１における隣り合う主櫛歯部２１ａの間の距離を適正に確保するとともに、隣り合う副櫛歯部２１ｂの間の距離を適正に確保することを目的として配置されている。
【００３６】
図１１には、本発明のマスカラ塗布具の更に別の実施形態が示されている。本実施形態については、先の実施形態と異なる点について主として説明し、特に説明しない点については、先の実施形態に関する説明が適宜適用される。
【００３７】
本実施形態の塗布具１０は、第１の櫛歯列２１０及び第２の櫛歯列２２０の２列の櫛歯列を有している。各櫛歯列は、塗布部軸２０の全長にわたって配置されている。各櫛歯列２１０，２２０における櫛歯２１１，２２１の傾斜の様子は、先に述べた実施形態と同様である。また各櫛歯は、その板面が互いに略平行になるように配置されている。したがって、本実施形態においては、第１の櫛歯列２１０の櫛歯２１１及び第２の櫛歯列２２０の櫛歯２２１は、その板面が、塗布部軸２０の先端側又は後端側に向うにつれてねじれた形状となっている。塗布部軸２０の延びる方向と直交する方向において同じ位置にある櫛歯２１１と櫛歯２２１との傾斜の程度は同じでもよく、あるいは異なっていてもよい。
【００３８】
本実施形態においては、塗布部軸２０の軸線からみたとき、第１の櫛歯列２１０の櫛歯２１１と、第２の櫛歯列２２０の櫛歯２２１とが、略Ｖ字をなすように各櫛歯２１１，２２１が配列されている。各櫛歯２１１，２２１がこのように配列されていることで、２つの櫛歯列２１０，２２０間に凹状の窪んだ空間が形成される。この空間にはマスカラ化粧料を多量に保持させることができるので、まつ毛に多量のマスカラ化粧料を塗布することができる。その結果、まつ毛が放射状に広がることと相まって、まつ毛のボリュームアップの効果が一層顕著になる。
【００３９】
図１１に示すように、塗布部１２の先端部においては、そこに配置された複数の先端櫛歯２１５によって、第１の櫛歯列２１０と第２の櫛歯列２２０とが滑らかに連結されている。先端櫛歯２１５は、塗布部１２をその上側（主櫛歯部２１ａが突出している側）からみたときに、塗布部１２の先端部において扇状に（放射状に）配置されている。このような先端櫛歯２１５を備えることで、先の実施形態の塗布具１０における錐体突起２２と同様に、細かい部分にマスカラ化粧料を塗布することが容易になる。特に、先端櫛歯２１５が、第１の櫛歯列２１０の櫛歯２１１や第２の櫛歯列２２０の櫛歯２２１と同様に、上方に向けて突出していると、該先端櫛歯２１５を用いたマスカラ化粧料の塗布の際に、まつ毛をすくいあげるように化粧料を塗布することができるという利点がある。また、櫛歯２１１，２２１がなす略Ｖ字と同様に、先端櫛歯２１５によって凹状の窪んだ空間が形成され、マスカラ化粧料を多量に保持させることができるので、まつ毛に多量のマスカラ化粧料を塗布することができる。その結果、まつ毛のボリュームアップ効果が一層顕著になる。
【００４０】
図１１に示すように、第１の櫛歯列２１０と第２の櫛歯列２２０との間には、第３の櫛歯列２３０が配置されている。第３の櫛歯列２３０も、塗布部軸２０の全長にわたって配置されている。第１の櫛歯列２１０及び第２の櫛歯列２２０と異なり、第３の櫛歯列２３０を構成する各櫛歯２３１は、細長い截頭円錐状又は細長い円柱状をしている。櫛歯２３１は、塗布部軸２０の基面２０Ａと直交するように突出している。つまり、櫛歯２３１は基面２０Ａの法線に対して傾斜していない。したがって、第３の櫛歯列２３０においては、それを構成する櫛歯２３１の傾斜の程度が、塗布部軸２０の延びる方向と直交する方向で隣接する第１の櫛歯列２１０の櫛歯２１１の傾斜の程度及び第２の櫛歯列２２０の櫛歯２２１の傾斜の程度と異なっている。この場合、塗布部１２の全長にわたって、櫛歯２３１の傾斜の程度と、櫛歯２１１及び櫛歯２１２の傾斜の程度が異なっていることは要せず、塗布部１２の長手方向の少なくとも一部の部位において、櫛歯２３１の傾斜の程度と、櫛歯２１１及び櫛歯２１２の傾斜の程度が異なっていればよい。
【００４１】
第１の櫛歯列２１０及び第２の櫛歯列２２０に加え第３の櫛歯列２３０を有し、かつ各櫛歯列を構成する櫛歯の傾斜の程度が上述のとおりとなっていることで、本実施形態のマスカラ塗布具１０によれば、まつ毛を梳いたときの梳き心地感が向上するという利点がもたらされる。この利点を、図１２を参照しながら説明する。
【００４２】
本実施形態のマスカラ塗布具１０を用いたまつ毛の梳き始めにおいては、図１２（ａ）及び（ｂ）に示すように、まつ毛ＥＬは、３本の櫛歯２１１，２２１，２３１によって蛇行状に絡めとられる。なお図１２（ａ）は、塗布部１２を上からみた図であり、図１２（ｂ）は、塗布部１２を横からみた図である。塗布具１０を下方から上方へ向けて移動してまつ毛を梳いていくと、まつ毛ＥＬが櫛歯の根元側へ向けて移動する。この移動によってまつ毛ＥＬと櫛歯との絡みの度合いが大きくなり、まつ毛ＥＬの撓みが大きくなる。その結果、梳きの抵抗の増大を使用者が感じるようになる。梳きの後半のから終了にかけては、３本の櫛歯２１１，２２１，２３１に絡まっていたまつ毛ＥＬが、図１２（ｃ）及び（ｄ）に示すように、２本の櫛歯２２１，２３１にのみ絡み、最後は１本の櫛歯２３１のみに絡む。したがって、まつ毛ＥＬと櫛歯との絡みの度合いが次第に小さくなり、梳きの抵抗の低下を使用者が感じるようになる。これ以降更に梳き進めると、まつ毛は傾斜した櫛歯２２１に従い、まつ毛全体としては開いた放射状に梳かれることになる。このように、本実施形態のマスカラ塗布具１０を用いてまつ毛を梳くと、梳きの抵抗感の増大及びそれに続く抵抗感の低下の差が非常に顕著なので、例えばまつ毛の本数が少ない、あるいはまつ毛が短い使用者においてもその差を使用者が知覚しやすく、満足な梳き心地を使用者に与えることができる。
【００４３】
以上、本発明をその好ましい実施形態に基づき説明したが、本発明は前記実施形態に制限されない。例えば前記の各実施形態においては、塗布部１２の塗布部軸２０が、上方に向けて凸状に湾曲していたが、これに代えて塗布部軸２０は略直線状でもよい。
【００４４】
また、図１に示す実施形態のマスカラ塗布具１０においては、櫛歯２１の主櫛歯部２１ａは、略三角形の板状であったが、これに代えて、柱状や錐状、截頭錐状の櫛歯を用いてもよい。
【００４５】
また、図１１に示す実施形態のマスカラ塗布具１０においては、第３の櫛歯列２３０を構成する櫛歯２３１が、基面２０Ａの法線に対して傾斜していなかったが、これに代えて、傾斜の程度が異なることを条件として、櫛歯２３１を、第１の櫛歯列２１０や第２の櫛歯列２２０を構成する櫛歯２１１，２２１と同様の態様で傾斜させてもよい。
【００４６】
また、当業者の通常の知識の範囲内で、上述の各実施形態を適宜組み合わせて新たな実施形態とすることができる。例えば、図９に示す実施形態のマスカラ塗布具１０における錐体突起２２を、図１１に示す実施形態のマスカラ塗布具１０における先端櫛歯２１５の代わりに用いてもよい。
【符号の説明】
【００４７】
１０  マスカラ塗布具
１１  支持軸
１２  塗布部
１２Ｃ  中央域
１２Ｆ  前方域
１２Ｒ  後方域
１２ＦＦ  最前方域
２０  塗布部軸
２１  櫛歯
【図１】
0005740152.tif 000002
【図２】
0005740152.tif 000003
【図３】
0005740152.tif 000004
【図４】
0005740152.tif 000005
【図５】
0005740152.tif 000006
【図６】
0005740152.tif 000007
【図７】
0005740152.tif 000008
【図８】
0005740152.tif 000009
【図９】
0005740152.tif 000010
【図１０】
0005740152.tif 000011
【図１１】
0005740152.tif 000012
【図１２】
0005740152.tif 000013
【図１３】
0005740152.tif 000014